(57)【要約】【課題】着用感が良く、股間の通気性を良好に確保できる男性用ボトム衣類を提供する。【解決手段】男性用ボトム衣類１では、前身頃２の縫着端辺とマチ部４の縫着端辺との縫着によって、股部１４に立体部１５が形成されている。立体部１５の形成にあたり、前身頃２におけるマチ部４との縫着端辺には、前中心Ａに対応して股部１４側に突出する凸部２８と、凸部２８の両脇にそれぞれ位置する凹部２６とが形成され、マチ部４における前身頃２との縫着端辺には、凸部２８に対応する凹部４４と、凹部２６にそれぞれ対応する凸部４５とが形成されている。これにより、陰嚢に対応して前方及び下方に張り出す部分と、股部１４から下方に張り出す部分とを立体部１５に造形できる。したがって、男性用ボトム衣類１では、良好な着用感が得られ、かつ股間の通気性を良好に確保できる。【選択図】図３
2015094053.tif 000002
【特許請求の範囲】
【請求項１】
前身頃、後身頃、及び股部に配置されるマチ部によって構成される男性用ボトム衣類であって、
前記前身頃における前記マチ部との縫着端辺には、前中心に対応して股部側に突出する第１の凸部と、前記第１の凸部の両脇にそれぞれ位置する第１の凹部とが形成され、
前記マチ部における前記前身頃との縫着端辺には、前記第１の凸部に対応する第２の凹部と、前記第１の凹部にそれぞれ対応する第２の凸部とが形成され、
前記前身頃の前記縫着端辺と前記マチ部の前記縫着端辺との縫着によって、前記股部に立体部が形成されている男性用ボトム衣類。
【請求項２】
前記後身頃における前記マチ部との縫着端辺には、後中心に対応して前記股部側に突出する第３の凸部と、前記第３の凸部の両脇にそれぞれ位置する第３の凹部とが形成され、
前記マチ部における前記後身頃との縫着端辺には、前記第３の凸部に対応する第４の凹部と、前記第３の凹部にそれぞれ対応する第４の凸部とが形成されている請求項１記載の男性用ボトム衣類。
【請求項３】
前記前身頃は、前記前中心で分割された分割前身頃によって構成され、
前記分割前身頃の縫着端辺には、前記分割前身頃同士の縫着によって前記第１の凸部を構成する凸状部が形成され、
前記凸状部は、前記分割前身頃の展開状態において、前記前中心側に膨らむ第１のラインと、前記前中心と反対側に膨らむ第２のラインとを有し、前記第１のラインと前記第２のラインとが前記凸状部の下端で連続している請求項１又は２記載の男性用ボトム衣類。
【請求項４】
前記第１のラインは、前記分割前身頃の展開状態において、前記前中心を超えて張り出している請求項３記載の男性用ボトム衣類。
【発明の詳細な説明】
【技術分野】
【０００１】
本発明は、男性用ボトム衣類に関する。
【背景技術】
【０００２】
男性用ボトム衣類に関する技術として、例えば特許文献１に記載のパンツがある。この従来のパンツは、着用者の腹部側を覆う前身頃、着用者の臀部側を覆う後身頃、及び股部に配置されるマチ部を備え、展開形状において、後身頃におけるマチ部との縫着端辺と、マチ部における後身頃との縫着端辺とがいずれも凹状の円弧ラインとなっている。これにより、パンツの後身頃における下部中央に膨らみが形成されるようになっている。
【先行技術文献】
【特許文献】
【０００３】
【特許文献１】特開２００１−２９５１０２号公報
【発明の概要】
【発明が解決しようとする課題】
【０００４】
上述したような男性用ボトム衣類においては、特に着用者の股間の通気性の確保が課題となっている。しかしながら、従来の男性用ボトム衣類では、マチ部によるゆとりを股部に設けたとしても、着用状態において着用者の股間に衣類の股部がＶ字状或いはＵ字状に食い込むことがあり、着用感が悪くなると共に、股部の生地が着用者の股間に密着することによって通気性が阻害されてしまう場合があった。
【０００５】
本発明は、上記課題の解決のためになされたものであり、着用感が良く、股間の通気性を良好に確保できる男性用ボトム衣類を提供することを目的とする。
【課題を解決するための手段】
【０００６】
上記課題の解決のため、本発明に係る男性用ボトム衣類は、前身頃、後身頃、及び股部に配置されるマチ部によって構成される男性用ボトム衣類であって、前身頃におけるマチ部との縫着端辺には、前中心に対応して股部側に突出する第１の凸部と、第１の凸部の両脇にそれぞれ位置する第１の凹部とが形成され、マチ部における前身頃との縫着端辺には、第１の凸部に対応する第２の凹部と、第１の凹部にそれぞれ対応する第２の凸部とが形成され、前身頃の縫着端辺とマチ部の縫着端辺との縫着によって、股部に立体部が形成されていることを特徴としている。
【０００７】
この男性用ボトム衣類では、前身頃の縫着端辺とマチ部の縫着端辺との縫着によって、股部に立体部が形成されている。立体部の形成にあたり、前身頃におけるマチ部との縫着端辺には、前中心に対応して股部側に突出する第１の凸部と、第１の凸部の両脇にそれぞれ位置する第１の凹部とが形成され、マチ部における前身頃との縫着端辺には、第１の凸部に対応する第２の凹部と、第１の凹部にそれぞれ対応する第２の凸部とが形成されている。このような構成により、着用状態において、陰嚢に対応して前方及び下方に張り出す部分と、股部から下方に張り出す部分とを立体部に造形できる。したがって、この男性用ボトム衣類では、立体部の形状を着用者（特に男性）の陰嚢の形状に沿わせることができると共に、股部が着用者の股間に食い込むことを防止できるので、良好な着用感が得られ、かつ股間の通気性を良好に確保できる。
【０００８】
また、後身頃におけるマチ部との縫着端辺には、後中心に対応して股部側に突出する第３の凸部と、第３の凸部の両脇にそれぞれ位置する第３の凹部とが形成され、マチ部における後身頃との縫着端辺には、第３の凸部に対応する第４の凹部と、第３の凹部にそれぞれ対応する第４の凸部とが形成されていることが好ましい。この場合、背面視で股部が下方に向かって凸となる緩やかな円弧形状となり、股間との間に隙間ができることで股部の通気性が高められる。また、着用者の足回りの快適性も向上できる。
【０００９】
また、前身頃は、前中心で分割された分割前身頃によって構成され、分割前身頃の縫着端辺には、分割前身頃同士の縫着によって第１の凸部を構成する凸状部が形成され、凸状部は、分割前身頃の展開状態において、前中心側に膨らむ第１のラインと、前中心と反対側に膨らむ第２のラインとを有し、第１のラインと第２のラインとが凸状部の下端で連続していることが好ましい。このような構成により、立体部の張り出しをより確実に造形できる。また、第１のライン及び第２のラインの形状の調整により、立体部の張り出しの程度を容易に調整できる。
【００１０】
また、第１のラインは、分割前身頃の展開状態において、前中心を超えて張り出していることが好ましい。このような構成により、立体部の張り出しを一層確実に造形できる。
【発明の効果】
【００１１】
本発明に係る男性用ボトム衣類によれば、着用感が良く、股間の通気性を良好に確保できる。
【図面の簡単な説明】
【００１２】
【図１】本発明の一実施形態に係る男性用ボトム衣類を正面側から見た図である。
【図２】図１に示した男性用ボトム衣類を背面側から見た図である。
【図３】本体部を構成する前身頃、後身頃、及びマチ部の展開状態を示す図である。
【図４】男性用ボトム衣類の着用状態を正面下方側から見た図である。
【図５】男性用ボトム衣類の着用状態を正面側から見た図である。
【図６】男性用ボトム衣類の着用状態を背面側から見た図である。
【発明を実施するための形態】
【００１３】
以下、図面を参照しながら、本発明に係る男性用ボトム衣類の好適な実施形態について詳細に説明する。
【００１４】
図１は、本発明の一実施形態に係る男性用ボトム衣類を正面側から見た図である。また、図２は、図１に示した男性用ボトム衣類を背面側から見た図である。図１及び図２に示すように、本実施形態に係る男性用ボトム衣類１は、例えば男性用下着の一種であるトランクスとして構成されている。男性用ボトム衣類１の本体部１１は、正面側を構成する前身頃２と、背面側を構成する後身頃３と、股部１４に配置されるマチ部４とを互いに縫着することによって形成されている。
【００１５】
本体部１１は、着用状態において、例えば着用者の腹部、股部、臀部、及び大腿部を覆うように形成されている。本体部１１を構成する前身頃２、後身頃３、及びマチ部４の素材としては、例えば鹿の子やフライスなどの非（難）伸縮性を有する素材が用いられるが、例えばベア天竺、ツーウェイトリコット、ツーウェイラッセルなど、伸縮性を有する素材を用いてもよい。
【００１６】
本体部１１の上部には、着用者のウエストラインに対応する腰部１２が形成されている。腰部１２には、例えばゴムなどによって形成された伸縮性を有するテープが設けられる。また、本体部１１の下部には、着用者の脚部を通す左右の裾部１３，１３が形成されると共に、着用者の股間に対応する股部１４が裾部１３，１３間に形成されている。なお、説明の簡単化のため、図１では図示していないが、本体部１１の正面側には、前中心Ａに沿って前開き部が設けられる。
【００１７】
この男性用ボトム衣類１では、着用状態において、着用者側から見て下方（もしくは前方斜め下方）に張り出す立体部１５が股部１４に形成される。立体部１５の下端側は、後述の図４及び図５に示すように、男性用ボトム衣類１の正面視において下方に凸となるように緩やかな円弧形状をなす。以下、この立体部１５を造形する構成について詳細に説明する。
【００１８】
図３は、本体部を構成する前身頃、後身頃、及びマチ部の展開状態を示す図である。なお、この図３においては、前身頃２、後身頃３、及びマチ部４において、互いに縫着される縫着端辺同士に同一のマークを付している。また、これらの構成部材を縫着するためには縫い代が必要であるが、図３では省略している。
【００１９】
前身頃２は、前中心Ａに対応する部分で分割された左右一対の分割前身頃６，６によって構成されている。分割前身頃６は、腰部１２を構成する腰部端辺２１と、後身頃３に縫着される後側縫着端辺２２と、裾部１３を構成する裾部端辺２３と、他方の分割前身頃６に縫着される前側縫着端辺２４と、マチ部４に縫着されるマチ部側縫着端辺２５とによって画成されている。
【００２０】
腰部端辺２１は、例えば略直線状となっており、前身頃２と後身頃３との縫着によって後身頃３側の腰部端辺３１と連続し、腰部１２を構成する。後側縫着端辺２２は、例えば略直線状となっており、腰部端辺２１の脇側端部から腰部端辺２１と略直交するように延びている。後側縫着端辺２２は、本体部１１の側部側で後身頃３の前側縫着端辺３２と縫着される。裾部端辺２３は、例えば略直線状となっており、後側縫着端辺２２の下側端部から前中心Ａ側に延びている。裾部端辺２３は、前身頃２とマチ部４との縫着及び前身頃２と後身頃３との縫着によって、マチ部４側の裾部端辺４１と後身頃３側の裾部端辺３３とに連続し、裾部１３を構成する。
【００２１】
前側縫着端辺２４は、腰部端辺２１の内側端部から腰部端辺２１と略直交するように前中心Ａに沿って延びている。この前側縫着端辺２４は、腰部端辺２１側から直線状に延びる直線ライン２４ａと、直線ライン２４ａの下端側において前中心Ａ側に膨らむ湾曲ライン（第１のライン）２４ｂとを有している。この湾曲ライン２４ｂは、緩やかな円弧状をなし、前中心Ａのラインを超えて張り出した状態となっている。
【００２２】
マチ部側縫着端辺２５は、例えば腰部端辺２１側に凸となる凹部（第１の凹部）２６を有している。この凹部２６は、円弧状に形成された底部２６ａを有し、裾部端辺２３の内側端部と底部２６ａとを結ぶ湾曲ライン２５ａと、底部２６ａと前側縫着端辺２４の湾曲ライン２４ｂとを結ぶ湾曲ライン（第２のライン）２５ｂとによって画成されている。この湾曲ライン２５ｂは、全体として前中心Ａとは反対側に膨らむ緩やかな弧状をなしているが、湾曲ライン２５ｂの中間部分は、前中心Ａのラインに対して所定の角度で傾く直線状（もしくは緩い曲線状）をなしている。湾曲ライン２５ｂは、前側縫着端辺２４における湾曲ライン２５ｂの下端に連続し、湾曲ライン２４ｂと湾曲ライン２５ｂとによって凸状部２７が形成されている。
【００２３】
なお、本実施形態では、凸状部２７の先端、すなわち、湾曲ライン２４ｂと湾曲ライン２５ｂとの接続部分が前中心Ａのラインよりも僅かに外側に位置している。また、凸状部２７の先端において、湾曲ライン２４ｂと湾曲ライン２５ｂとがなす角は、例えば略直角となっており、縫着の容易性が確保されている。
【００２４】
以上のような分割前身頃６，６は、前中心Ａ側で前側縫着端辺２４，２４同士が縫着されることにより、前身頃２を構成する。このとき、前側縫着端辺２４において湾曲ライン２４ｂ同士が互いに縫着されることにより、凸状部２７，２７が互いに結合し、前身頃２におけるマチ部４との縫着端辺において、前中心Ａに対応して股部１４側に突出する凸部（第１の凸部）２８が形成される（図１参照）。凸部２８の両脇には、マチ部側縫着端辺２５に形成された上述の凹部２６が位置することとなる。
【００２５】
後身頃３は、腰部１２を構成する腰部端辺３１と、前身頃２に縫着される前側縫着端辺３２と、裾部１３を構成する裾部端辺３３と、マチ部４に縫着されるマチ部側縫着端辺３４とによって画成されている。
【００２６】
腰部端辺３１は、例えば略直線状となっており、前身頃２と後身頃３との縫着によって前身頃２側の腰部端辺２１と連続し、腰部１２を構成する。前側縫着端辺３２は、例えば略直線状となっており、腰部端辺３１の脇側端部から腰部端辺３１と略直交するように延びている。前側縫着端辺３２は、本体部１１の側部側で前身頃２の後側縫着端辺２２と縫着される。裾部端辺３３は、例えば略直線状となっており、前側縫着端辺３２の下側端部から後中心Ｂ側に延びている。裾部端辺３３は、後身頃３とマチ部４との縫着及び後身頃３と前身頃２との縫着によって、マチ部４側の裾部端辺４１と前身頃２側の裾部端辺２３とに連続し、裾部１３を構成する。
【００２７】
マチ部側縫着端辺３４は、後中心Ｂに対応して股部側に突出する凸部（第３の凸部）３５と、凸部３５の両脇にそれぞれ位置する凹部（第３の凹部）３６とを有している。これらの凸部３５及び凹部３６は、後中心Ｂのラインについて対称となる湾曲ライン３４ａ及び湾曲ライン３４ｂによって画成されている。湾曲ライン３４ａは、凸部３５の頂部から凹部３６の底部にかけて裾部端辺３３側に凸となっており、湾曲ライン３４ｂは、凹部３６の底部から裾部端辺３３の内側端部にかけて腰部端辺３１側に凸となっている。
【００２８】
なお、本実施形態では、後身頃３における凸部３５の突出長さは、前身頃２における凸部２８の突出長さに比べて小さくなっている。また、後身頃３において凸部３５及び凹部３６を合わせた横幅も、前身頃２において凸部２８及び凹部２６を合わせた横幅に比べて半分程度に小さくなっている。
【００２９】
マチ部４は、裾部１３を構成する裾部端辺４１と、前身頃２に縫着される前側縫着端辺４２と、後身頃３に縫着される後側縫着端辺４３と、によって画成されている。裾部端辺４１は、マチ部４の両脇側にそれぞれ位置し、マチ部４が後側縫着端辺４３側から前側縫着端辺４２側に向かって扇状に裾広がりとなるように略直線状に形成されている。裾部端辺４１は、マチ部４と前身頃２との縫着及びマチ部４と後身頃３との縫着によって、前身頃２側の裾部端辺２３と後身頃３側の裾部端辺３３とに連続し、裾部１３を構成する。
【００３０】
前側縫着端辺４２は、前身頃２側の凸部２８に対応するように前中心Ａ側に形成された凹部（第２の凹部）４４と、前身頃２側の凹部２６，２６にそれぞれ対応するように凹部４４の両脇に形成された凸部（第２の凸部）４５とを有している。これらの凹部４４及び凸部４５は、より具体的には、前中心Ａのラインについて対称となる湾曲ライン４２ａ及び湾曲ライン４２ｂによって画成されている。
【００３１】
湾曲ライン４２ａは、凹部４４の底部から凸部４５の頂部にかけて延びている。湾曲ライン４２ａの中間部分は、前中心Ａのラインに対して所定の角度で傾く直線状（もしくは緩い曲線状）をなしており、その傾き角度は、左右一対の分割前身頃６，６同士を前中心Ａで縫着した状態において、前身頃２側のマチ部側縫着端辺２５における湾曲ライン２５ｂが前中心Ａのラインとなす傾き角度よりも僅かに大きくなっている。また、湾曲ライン４２ｂは、凸部４５の頂部で湾曲ライン４２ａに連続し、裾部端辺４１の前側端部に向かって延びている。
【００３２】
後側縫着端辺４３は、後身頃３の凸部３５に対応する凹部（第４の凹部）４６と、後身頃３の凹部３６にそれぞれ対応する凸部（第４の凸部）４７とを有している。これらの凹部４６及び凸部４７は、後中心Ｂのラインについて対称となる湾曲ライン４３ａ及び湾曲ライン４３ｂによって画成されている。湾曲ライン４３ａは、凹部４６の底部から凸部４７の頂部にかけて前側縫着端辺４２側に凸となっており、湾曲ライン４３ｂは、凸部４７の頂部から裾部端辺４１の後側端部にかけて後側縫着端辺４３側に凸となっている。
【００３３】
前身頃２とマチ部４との縫着においては、前身頃２の凸部２８がマチ部４の凹部４４に縫着され、前身頃２の凹部２６がマチ部４の凸部４５に縫着される。すなわち、前身頃２側で凸状部２７を画成する湾曲ライン２５ｂがマチ部４側で凹部４４を画成する湾曲ライン４２ａに縫着され、前身頃２側で凹部２６を画成する湾曲ライン２５ａがマチ部４側で凸部４５を画成する湾曲ライン４２ｂに縫着される。
【００３４】
本実施形態では、上述したように、左右一対の分割前身頃６，６同士を前中心Ａで縫着した状態において、マチ部４側の湾曲ライン４２ａの中間部分が前中心Ａのラインに対してなす傾き角度が、前身頃２側の湾曲ライン２５ｂの中間部分が前中心Ａのラインに対してなす傾き角度よりも僅かに大きくなっている。このため、この状態で前身頃２とマチ部４とが縫着されることによってダーツが形成され、股部１４に立体部１５が造形される。また、この立体部１５は、例えば図４及び図５に示すように、着用状態において、正面視で股部１４から下方（もしくは前方斜め下方）に凸となるように緩やかな円弧形状をなし、股部１４の前後方向にかけて延在し、着用者（特に男性）の陰嚢の形状に沿うようになっている。
【００３５】
また、後身頃３とマチ部４との縫着においては、後身頃３の凸部３５がマチ部４の凹部４６に縫着され、後身頃３の凹部３６がマチ部４の凸部４７に縫着される。すなわち、後身頃３側で凸部３５を画成する湾曲ライン３４ａがマチ部４側で凹部４６を画成する湾曲ライン４３ａに縫着され、後身頃３側で凹部３６を画成する湾曲ライン３４ｂがマチ部４側で凸部４７を画成する湾曲ライン４３ｂに縫着される。これにより、例えば図６に示すように、着用状態において、背面視で股部１４が下方に向かって凸となる緩やかな円弧形状となり、股間との間に隙間ができることで股部１４の通気性が高められる。
【００３６】
以上説明したように、男性用ボトム衣類１では、前身頃２の縫着端辺とマチ部４の縫着端辺との縫着によって、股部１４に立体部１５が形成されている。立体部１５の形成にあたり、前身頃２におけるマチ部４との縫着端辺には、前中心Ａに対応して股部１４側に突出する凸部２８と、凸部２８の両脇にそれぞれ位置する凹部２６とが形成され、マチ部４における前身頃２との縫着端辺には、凸部２８に対応する凹部４４と、凹部２６にそれぞれ対応する凸部４５とが形成されている。このような構成により、陰嚢に対応して前方及び下方に張り出す部分と、股部１４から下方に張り出す部分とを立体部１５に造形できる。したがって、この男性用ボトム衣類１では、立体部１５の形状を着用者（特に男性）の陰嚢の形状に沿わせることができると共に、股部１４が着用者の股間に食い込むことを防止できるので、良好な着用感が得られ、かつ股間の通気性を良好に確保できる。
【００３７】
また、男性用ボトム衣類１では、後身頃３におけるマチ部４との縫着端辺に、後中心Ｂに対応して股部１４側に突出する凸部３５と、凸部３５の両脇にそれぞれ位置する凹部３６とが形成され、マチ部４における後身頃３との縫着端辺に、凸部３５に対応する凹部４６と、凹部３６にそれぞれ対応する凸部４７とが形成されている。これにより、背面視で股部１４が下方に向かって凸となる緩やかな円弧形状となり、股間との間に隙間ができることで股部１４の通気性が高められる。また、着用者の足回りの快適性も向上できる。なお、背面視で股部１４が下方に向かって凸となる部分は、立体部１５において股部１４から下方に張り出す部分と連続していてもよい。
【００３８】
また、男性用ボトム衣類１では、前身頃２が前中心Ａで分割された分割前身頃６によって構成され、分割前身頃６の縫着端辺には、分割前身頃６，６同士の縫着によって凸部２８を構成する凸状部２７が形成されている。そして、凸状部２７は、分割前身頃６の展開状態において、前中心Ａ側に膨らむ湾曲ライン２４ｂと、前中心Ａと反対側に膨らむ湾曲ライン２５ｂとを有し、湾曲ライン２４ｂと湾曲ライン２５ｂとが凸状部２７の下端で連続している。このような構成により、凸状部２７同士の縫着部分、すなわち、湾曲ライン２４ｂ同士の縫着部分において、立体部１５の張り出しをより確実に造形できる。
【００３９】
湾曲ライン２４ｂ及び湾曲ライン２５ｂの形状の調整により、立体部１５の張り出しの程度を容易に調整できる。例えば湾曲ライン２４ｂ及び湾曲ライン２５ｂの膨らみの程度をそれぞれ変えたり、湾曲ライン２５ｂの中間部分が前中心Ａのラインに対してなす傾き角度と、湾曲ライン４２ａの中間部分が前中心Ａのラインに対してなす傾き角度との差を変えることで、立体部１５の張り出しの程度を調整できる。
【００４０】
また、男性用ボトム衣類１では、分割前身頃６の展開状態において、湾曲ライン２４ｂが前中心Ａを超えて張り出している。このような構成により、立体部１５の張り出しを一層確実に造形できる。また、男性用ボトム衣類１では、分割前身頃６，６同士を前中心Ａで縫着することによって前身頃２が形成されている。分割前身頃６を用いることにより、前身頃２の形状を容易に調整することができる。
【００４１】
なお、上記実施形態では、男性用ボトム衣類１としてトランクスを例示したが、本発明は、左右の脚部の長さを更に下方に伸ばしたロングタイプのパンツ、タイツ、ステテコといった他の男性用ボトム衣類にも適用可能である。また、男性用ボトム衣類は、着用状態において着用者の臍のラインよりも下方に腰部が位置するローウエストタイプ（ローライズタイプ）であってもよい。
【００４２】
また、前身頃、後身頃という語句は、通常は脇接ぎのある衣類において使用されるが、本明細書で使用した前身頃及び後身頃は、男性用ボトム衣類の前側部分及び後側部分を指すものであり、脇接ぎを有さない男性用ボトム衣類も本発明に含まれ得る。すなわち、上記実施形態では、左右の分割前身頃６、６からなる前身頃２、後身頃３、及びマチ部４によって本体部１１が構成されているが、左身頃、右身頃、及びマチ部によって構成されたいわゆる前後接ぎの形態や、前身頃及び後身頃を丸編みの一体成型とした形態によって本体部を構成してもよい。
【符号の説明】
【００４３】
１…男性用ボトム衣類、２…前身頃、３…後身頃、４…マチ部、６…分割前身頃、１４…股部、１５…立体部、２４ｂ…湾曲ライン（第１のライン）、２５ｂ…湾曲ライン（第２のライン）、２６…凹部（第１の凹部）、２７…凸状部、２８…凸部（第１の凸部）、３５…凸部（第３の凸部）、３６…凹部（第３の凹部）、４４…凹部（第２の凹部）、４５…凸部（第２の凸部）、４６…凹部（第４の凹部）、４７…凸部（第４の凸部）、Ａ…前中心、Ｂ…後中心。
【図１】
2015094053.tif 000003
【図２】
2015094053.tif 000004
【図３】
2015094053.tif 000005
【図４】
2015094053.tif 000006
【図５】
2015094053.tif 000007
【図６】
2015094053.tif 000008